(57)【特許請求の範囲】
【請求項１】
易重合性物質含有液を貯蔵する貯槽と、前記貯槽内の最高液面より上方に位置する易重合性物質含有液を供給する液供給手段と、前記液供給手段により供給された易重合性物質含有液を、前記貯槽内の最高液面より下方に導く導液管とを有すると共に、
前記導液管上端には漏斗が取り付けられ、かつ前記導液管の延在方向に複数の開口部が離間形成されていることを特徴とする易重合性物質貯蔵設備。
【請求項２】
前記導液管に設けられた各開口部の開口面積が、前記導液管の内径の０．０１〜０．３倍の直径を有する円の面積に相当することを特徴とする請求項１に記載の易重合性物質貯蔵設備。
【請求項３】
前記導液管に設けられた全開口部の合計開口面積が、前記導液管の断面積の０．４〜２倍であることを特徴とする請求項１又は請求項２に記載の易重合性物質貯蔵設備。
【請求項４】
前記導液管の下端部の前記貯槽の底面からの高さが、前記導液管の内径の０．５〜２０倍であることを特徴とする請求項１から請求項３までのいずれか１項に記載の易重合性物質貯蔵設備。
【請求項５】
請求項１から請求項４までのいずれか１項に記載の易重合性物質貯蔵設備を用いて、易重合性物質含有液を貯蔵することを特徴とする易重合性物質貯蔵方法。
【発明の詳細な説明】
【０００１】
【発明の属する技術分野】
本発明は、（メタ）アクリル酸又はそのエステル等の易重合性物質を安定に貯蔵することが可能な易重合性物質貯蔵設備、及び該設備を用いた易重合性物質貯蔵方法に関するものである。
【０００２】
【従来の技術】
ビニル結合を有する単量体等の易重合性物質を含有する易重合性物質含有液の貯蔵設備は、該液を供給する供給配管に接続可能なノズルを備えた貯槽を主として構成されている。
従来、地震等による不測の事態にノズルが破損しても、貯槽内の液体が外部に漏洩する恐れがなく、また、供給配管に取り付けられた弁等の配管部品の破損や異常時の保全作業に際しても、貯槽内の液体を取り除く必要がなく、作業性・経済性に優れることから、一般に、易重合性物質含有液を貯槽内に供給するためのノズルは、貯槽の最高液面より上方に取り付けられている。
【０００３】
ここで、易重合性物質の多くは可燃性を有するため、貯槽内の気相中の易重合性物質濃度が増加した状態で着火源が存在すれば、発火する恐れがあるが、ノズルを貯槽の最高液面より上方に取り付けて、ノズルから貯槽内の気相に易重合性物質含有液を放出すると、易重合性物質含有液が気相中を落下する際に液同士の摩擦により静電気を発生し易く、この静電気が着火源となり得る。
そこで、従来は、かかる問題を回避するべく、一端がノズル近傍、他端が貯槽底部に位置する導液管を配設し、ノズルから放出される易重合性物質含有液を導液管を介して液相中に導く方式が採用されている。この方式によれば、易重合性物質含有液を、ほとんど気相に触れることなく液相中に導くことができ、発火を防止することができる。
【０００４】
【発明が解決しようとする課題】
一般に、易重合性物質含有液には、易重合性物質の自然重合を防止するために、重合防止剤が添加されている。にもかかわらず、ノズルを貯槽の最高液面より上方に取り付け、ノズルから放出される易重合性物質含有液を導液管を介して液相中に導く方式を採用した場合には、数ヶ月など長期間に渡って、貯槽を実質的に空にすることなく使用していると、貯槽内の易重合性物質の一部が重合し、低重合度のオリゴマーが生成されることがあった。
【０００５】
そこで、本発明はかかる事情に鑑みてなされたものであり、長期間に渡って、貯槽を実質的に空にすることなく使用しても、発火や易重合性物質の重合を防止し、易重合性物質含有液を安定に貯蔵することが可能な易重合性物質貯蔵設備、及び易重合性物質貯蔵方法を提供することを目的とする。
【０００６】
【課題を解決するための手段】
本発明者は、上記課題を解決するべく検討した結果、ノズルを貯槽の最高液面より上方に取り付け、ノズルから放出される易重合性物質含有液を導液管を介して液相中に導く方式を採用した従来の易重合性物質貯蔵設備では、貯槽の底部に位置する導液管の下端部から流出された易重合性物質含有液が、底部より上方にほとんど向かうことなく、同じく貯槽の底部に取り付けられた払出管まで流れるため、液相の底部及びその近傍部分より上方にはほとんど流れが生じないことを見出した。
【０００７】
その結果、液相の上部に位置する易重合性物質含有液の滞留時間が著しく長くなり、重合反応が進行する場合があることを見出した。また、貯槽内の重合防止剤の濃度が不均一となりやすいため、重合防止剤の濃度が低下した部分において、易重合性物質の重合反応が進行する場合があることを見出した。そして、以上の点に着目した結果、以下の易重合性物質貯蔵設備、及び易重合性物質貯蔵方法を発明するに到った。
【０００８】
本発明の易重合性物質貯蔵設備は、易重合性物質含有液を貯蔵する貯槽と、前記貯槽内の最高液面より上方に位置する易重合性物質含有液を供給する液供給手段と、前記液供給手段により供給された易重合性物質含有液を、前記貯槽内の最高液面より下方に導く導液管とを有すると共に、前記導液管上端には漏斗が取り付けられ、かつ前記導液管の延在方向に複数の開口部が離間形成されていることを特徴とする。
また、前記導液管に設けられた各開口部の開口面積が、前記導液管の内径の０．０１〜０．３倍の直径を有する円の面積に相当することが好ましい。また、前記導液管に設けられた全開口部の合計開口面積が、前記導液管の断面積の０．４〜２倍であることが好ましい。また、前記導液管の下端部の前記貯槽の底面からの高さが、前記導液管の内径の０．５〜２０倍であることが好ましい。
【０００９】
以上の本発明の易重合性物質貯蔵設備によれば、貯槽内に対して、導液管の下端部の他、導液管に設けた複数の開口部から各々易重合性物質含有液が流出するので、液相内に従来以外の流れが生じることになる。その結果、長期間に渡って、貯槽を実質的に空にすることなく使用しても、液相の上部に位置する易重合性物質含有液の滞留時間を短くすることができると共に、重合防止剤の濃度が部分的に低下することを防止することができ、易重合性物質の重合反応を防止することができる。
【００１０】
なお、導液管において、貯槽の最高液面より下方のみならず、上方に開口部を設けても良いが、最高液面より上方に開口部を設けた場合には、開口部から流出する易重合性物質含有液は気相に触れることになる。しかしながら、易重合性物質含有液の供給圧力は導液管上端に取り付けてある漏斗にて大気圧になるので、開口部から流出する易重合性物質含有液は気相に噴き出すことなく、導液管の側面を伝って緩やかに流下するため、液同士の摩擦は緩和される。そのため、静電気の発生や、これに起因する発火の恐れはない。
【００１１】
したがって、本発明の易重合性物質貯蔵設備によれば、長期間に渡って使用しても、発火や易重合性物質の重合を防止し、易重合性物質含有液を安定に貯蔵することができる。
以上の本発明の易重合性物質貯蔵設備は、易重合性物質がビニル結合を有する単量体である場合に有効であり、特に（メタ）アクリル酸又はそのエステルである場合に有効である。
【００１２】
また、本発明の易重合性物質貯蔵方法は、以上の本発明の易重合性物質貯蔵設備を用いて、易重合性物質含有液を貯蔵することを特徴とする。
本発明の易重合性物質貯蔵方法によれば、本発明の易重合性物質貯蔵設備と同様の効果を得ることができ、長期間に渡って、貯槽を実質的に空にすることなく使用しても、発火や易重合性物質の重合を防止し、易重合性物質含有液を安定に貯蔵することができる。
【００１３】
【発明の実施の形態】
次に、図１に基づいて、本発明に係る実施形態の易重合性物質貯蔵設備の構造について説明する。図１は、本実施形態の易重合性物質貯蔵設備の概略断面図である。但し、構造の説明上、図１において、符号３０で示す導液管については、側方から見た時の概略平面図を示している。また、図１においては、各部材を図面上で認識可能な程度の大きさとするため、各部材毎に縮尺を異ならせてある。
【００１４】
図１に示すように、本実施形態の易重合性物質貯蔵設備１は、易重合性物質含有液５０を貯蔵する貯槽１０を主体として構成されている。貯槽１０の最高液面５１より上方の側壁上部には、易重合性物質含有液５０を放出するノズル２０が取り付けられており、このノズル２０に易重合性物質含有液５０を供給する供給配管（図示略）が接続されている。また、易重合性物質含有液５０を放出するノズル２０先端部の直下には、一端がノズル２０近傍、他端が貯槽１０底部に位置する導液管３０が延在しており、供給配管及びノズル２０（液供給手段）により貯槽１０内に供給された易重合性物質含有液５０は、ほとんど気相に触れることなく、導液管３０を介して液相中に導かれるようになっている。また、貯槽１０内の易重合性物質含有液５０は、貯槽１０の側壁底部に取り付けられた払出管４０から払出されるようになっている。なお、ノズル２０の個数については貯槽１０の内径Ｄに応じて適宜設計される。
【００１５】
本実施形態において、導液管３０のノズル２０側端部には漏斗３２が取り付けられており、ノズル２０先端部から周囲に放出された易重合性物質含有液５０も含めてすべての易重合性物質含有液５０が導液管３０に導かれるようになっている。
また、本実施形態において、導液管３０には、その延在方向に複数の開口部３１が離間形成されている。なお、従来の易重合性物質貯蔵設備では、導液管において、貯槽の最高液面より上方に、１個の開口部（いわゆるウイープホール）を設け、液の供給を停止した際に、導液管内の液がその時の貯槽の液面まで下がり、供給配管と導液管によるサイホン現象が起こらないように工夫されているが、本実施形態では、導液管３０において、ウイープホールも含めて、貯槽１０の最高液面５１の上方と下方の双方に渡って、ほぼ均等間隔に複数の開口部３１が設けられている。そして、導液管３０の下端部の他、各開口部３１から易重合性物質含有液５０が流出するようになっている。
【００１６】
本実施形態の易重合性物質貯蔵設備１では、このように、導液管３０に複数の開口部３１を設け、導液管３０の下端部の他、各開口部３１から易重合性物質含有液５０を流出させて、貯槽１０内に易重合性物質含有液５０を供給する構成を採用しているので、液相内に従来以外の流れを生じさせることができ、長期間に渡って、貯槽を実質的に空にすることなく使用しても、液相の上部に位置する易重合性物質含有液の滞留時間を短くすることができると共に、重合防止剤の濃度が部分的に低下することを防止することができ、易重合性物質の重合反応を防止することができる。
【００１７】
また、本実施形態では、導液管３０において、貯槽１０の最高液面５１より下方のみならず、上方にも開口部３１を設けているため、最高液面５１より上方に位置する開口部３１から流出した易重合性物質含有液５０は気相に触れることになるが、易重合性物質含有液５０の供給圧力は導液管３０の上端に取り付けてある漏斗３２にて大気圧になるので、この液は気相に噴き出すことなく、導液管３０の側面を伝って緩やかに流下するため、液同士の摩擦は緩和される。そのため、静電気の発生や、これに起因する発火の恐れはない。
したがって、本実施形態の易重合性物質貯蔵設備１、及び該設備を用いた易重合性物質貯蔵方法によれば、長期間に渡って使用しても、発火や易重合性物質の重合を防止し、易重合性物質含有液５０を安定に貯蔵することができる。
【００１８】
ここで、導液管３０に設けられた各開口部３１の開口面積は、開口部３１から流出させる液量に応じて適宜設計されるが、導液管３０の内径ｄ１の０．０１〜０．３倍の直径を有する円の面積に相当するように構成されていることが好ましい。開口部３１の形状は特に限定されるものではないが、正円状とした場合には、その直径ｄ２を導液管３０の内径ｄ１の０．０１〜０．３倍とすれば良い。かかる構成とすることにより、導液管３０の開口部３１が易重合性物質含有液５０で詰まってしまう恐れがなく、また貯槽１０に易重合性物質含有液５０を最初に仕込む際の気相への噴き出しも最小限に抑えられる。なお、開口部３１の内径ｄ１は大きいほど開口部３１における詰まりが少なくなり、小さいほど易重合性物質含有液５０を最初に仕込む際の開口部３１から気相への噴き出し量が少なくなるので、液同士の摩擦も緩和され、静電気発生の可能性が少なくなる。
【００１９】
また、開口部３１のピッチＬは、貯槽１０の側壁の高さＨ１に応じて適宜設計されるが、０．３〜１ｍとすることが好ましい。また、導液管３０に設けられた全開口部３１の合計開口面積を、導液管３０の断面積の０．４〜２倍とすることが好ましい。かかる構成とすることにより、貯層１０内における重合防止剤の均一な拡散が実現される。
【００２０】
また、導液管３０の下端部の貯槽１０の底面からの高さＨ２を、導液管３０の内径ｄ１の０．５〜２０倍とすることが好ましい。導液管３０の高さＨ２が導液管３０の内径ｄ１の０．５倍未満では、導液管３０の内圧が高くなりすぎ、導液管３０中央部の液量が増加して液摩擦が大きくなることがある。また、導液管３０の高さＨ２が導液管３０の内径ｄ１の２０倍を超えると、貯槽１０の使用可能な最低液面レベルが高くなりすぎ、操作範囲が狭くなる恐れがある。
【００２１】
また、本実施形態の易重合性物質貯蔵設備１、及び該設備を用いた易重合性物質貯蔵方法は、易重合性物質が（メタ）アクリル酸又はそのエステル等の、重合反応性の高いビニル結合を有する単量体である場合に有効である。
【００２２】
なお、本実施形態では、ノズル２０を貯槽１０の側壁上部に設ける場合についてのみ説明したが、ノズル２０の設置箇所については、最高液面５１より上方であれば、特に限定されるものではない。また、本実施形態では、導液管３０において、貯槽１０の最高液面５１の上方と下方の双方に開口部３１を設ける構成としたが、最高液面５１の下方にのみ設けても良い。また、開口部３１の形成間隔についても、ほぼ均等である必要はなく、適宜設計することができる。
【００２３】
【実施例】
次に、本発明に係る実施例及び比較例について説明する。
（実施例１）
図１に示したのと同様の易重合性物質貯蔵設備を製造した。なお、主な寸法は表１に示す通りとした。
この設備の貯槽に、易重合性物質含有液として、純度９９．９質量％のメタクリル酸に重合防止剤であるハイドロキノン１００ｐｐｍを添加した液を、温度３２℃で供給し貯蔵した。その後、貯槽内の液を定期的に払出すと共に、同量の液を追加供給する操作を１年間行ったが、貯槽内のメタクリル酸が重合することはなかった。
【００２４】
（比較例１）
導液管に開口部を設けなかった以外は、実施例１と同様にして、メタクリル酸含有液の供給、貯蔵、払出しを行ったところ、１年後に貯槽内の液相の液面近傍部分でメタクリル酸の一部が重合し、オリゴマーが生成した。また、液相内における重合防止剤の濃度分布をサンプリングして調べたところ、液面近傍部分の重合防止剤の濃度が液相下部に比較して低くなっていることが判明した。
【００２５】
（実施例２）
図１に示したのと同様の易重合性物質貯蔵設備を製造した。なお、主な寸法は表１に示す通りとした。
この設備の貯槽に、易重合性物質含有液として、純度９９．９質量％のメタクリル酸メチルに重合防止剤であるトパノールＡ１０ｐｐｍ及びハイドロキノン５０ｐｐｍを添加した液を、温度１０℃で供給し貯蔵した。その後、貯槽内の液を定期的に払出すと共に、同量の液を追加供給する操作を１年間行ったが、貯槽内のメタクリル酸メチルが重合することはなかった。
【００２６】
（比較例２）
導液管に開口部を設けなかった以外は、実施例２と同様にして、メタクリル酸メチル含有液の供給、貯蔵、払出しを行ったところ、１年後に貯槽内の液相の液面近傍部分でメタクリル酸メチルの一部が重合し、オリゴマーが生成した。また、液相内における重合防止剤の濃度分布をサンプリングして調べたところ、液面近傍部分の重合防止剤の濃度が液相下部に比較して低くなっていることが判明した。
【００２７】
【表１】
0003989268.tif 000002
【００２８】
実施例１、２、比較例１、２の結果から、導液管に複数の開口部を設けることにより、長期間に渡って使用しても、易重合性物質の重合を防止し、易重合性物質含有液を安定に貯蔵することができることが判明した。
【００２９】
【発明の効果】
以上詳述したように、本発明の易重合性物質貯蔵設備、及び該設備を用いた易重合性物質貯蔵方法によれば、長期間に渡って、貯槽を実質的に空にすることなく使用しても、発火や易重合性物質の重合を防止し、易重合性物質含有液を安定に貯蔵することができる。
【図面の簡単な説明】
【図１】  図１は、本発明に係る実施形態の易重合性物質貯蔵設備の概略断面図である。
【符号の説明】
１  易重合性物質貯蔵設備
１０  貯槽
２０  ノズル
３０  導液管
３１  開口部
４０  払出管
５０  易重合性物質含有液
５１  最高液面
Ｈ１  貯槽の側壁の高さ
Ｈ２  導液管の下端部の貯槽の底面からの高さ
Ｌ  開口部のピッチ
【図１】
0003989268.tif 000003